(57)【特許請求の範囲】
【請求項１】
水道管の中途部から分岐された第1の分岐管と、
水道管の中途部の第１の分岐管よりも下流側で分岐された第２の分岐管と、
給水口および排水口を有しており、第１の分岐管が給水口に接続され、第２の分岐管が排水口に接続され、第１の分岐管および第２の分岐管から着脱可能に設けた貯水タンクと、
第１の分岐管と水道管との分岐部分に設けられた三方弁である、第１のバルブと、
第２の分岐管と水道管との分岐部分に設けられた三方弁である、第２のバルブと、
前記第１のバルブと前記第２のバルブの開閉を手動で同時に行うことができる同時開閉手段とを具備し、
前記同時開閉手段は、
回転軸が第１のバルブの弁体の回動軸に連結された第１の歯車と、
回転軸が第２のバルブの弁体の回動軸に連結されるとともに第１の歯車とかみ合う第２の歯車と、
第１の歯車または第２の歯車のいずれか一方の回転軸上に設けられ、第１の歯車および第２の歯車を同時に回転させるためのレバーとを有することを特徴とする貯水ユニット。
【請求項２】
水道管の中途部から分岐された第１の分岐管と、
水道管の中途部の第１の分岐管よりも下流側で分岐された第２の分岐管と、
給水口および排水口を有しており、第１の分岐管が給水口に接続され、第２の分岐管が排水口に接続され、第１の分岐管および第２の分岐管から着脱可能に設けた貯水タンクと、
第１の分岐管の中途部に設けられた二方弁である、第１のバルブと、
第２の分岐管の中途部に設けられた二方弁である、第２のバルブと、
第１の分岐管が分岐された部位である第１の分岐部と第２の分岐管が分岐された部位である第２の分岐部との間を連結している水道管に設けられた二方弁である、第３のバルブと、
第１のバルブ、第２のバルブおよび第３のバルブの開閉を手動で同時に行うことができる同時開閉手段とを具備し、
前記同時開閉手段は、
回転軸が第１のバルブの弁体の回動軸に連結された第１の歯車と、
第１の歯車にはかみ合わないように配置され、回転軸が第２のバルブの弁体の回動軸に連結された第２の歯車と、
第１の歯車および第２の歯車にはそれぞれかみ合わないように配置され、回転軸が第３のバルブの弁体の回動軸に連結された第３の歯車と、
第１の歯車、第２の歯車および第３の歯車全てにかみ合うように配置された第４の歯車と、
第１の歯車〜第４の歯車のいずれかの歯車の回転軸上に設けられ、第１の歯車〜第４の歯車全てを同時に回転させるためのレバーとを有することを特徴とする貯水ユニット。
【発明の詳細な説明】
【技術分野】
【０００１】
本発明は、災害発生等の緊急時に水道水が確保できない場合であっても水を確保できるように、予め貯水タンクに水を貯留させる貯水ユニットに関する。
【背景技術】
【０００２】
地震等の災害の発生時には、水道管が破損したり浄水施設が崩壊したりして飲料水等の確保が出来ない場合がある。
飲料水を水道から確保できない場合には、自治体等の公共機関の給水車により各家庭に給水がされることがあるが、やはり、各家庭自ら飲料水等を確保できるようにするために、貯水タンクを設けておくことが必要である。
【０００３】
そこで、従来より水道管に貯水タンクを連結して通常時は貯水タンク内へ水を流しこんで水を貯留させつつ貯水タンク内を通過した水を水道水として利用し、災害時には貯水タンク内の水を利用する貯水ユニットが知られている（例えば、特許文献１参照）。
しかしながら、このように水道管と直列に接続される貯水タンクでは非常時に持ち運びができないし、貯水タンクを地下に設置する必要があるなど大掛かりなものとなってしまう。
【０００４】
そこで、水道管から分岐管を介して容易に持ち運び可能なような貯水タンクを設けた貯水ユニットも知られている（例えば、特許文献２参照）。
ここに開示されている発明は、貯水タンクに連結される管の途中にワンタッチ着脱式バルブを設け、このバルブを着脱することで貯水タンクを容易に取り外し可能としている。
【０００５】
【特許文献１】特開平８−２０９７５６号公報
【特許文献２】特開２００２−１２１７８０号公報
【発明の開示】
【発明が解決しようとする課題】
【０００６】
上述した特許文献２に開示されている構成では、貯水タンクを取り外した場合にはワンタッチ着脱式バルブ内に設けられた弁が管内を閉塞するので、水道管から水が漏れることはない。しかし、特許文献２に開示された構成では、蛇口へ向かう水道管は連結されていないので、貯水タンクを取り外した状態では水道を普通に用いることができない。
すなわち、特許文献２の構成では、水道が復旧した場合でも、貯水タンクを取り外したままであれば、水道を使用することができないという課題があった。
【０００７】
そこで、本発明は、上記課題を解決すべくなされ、その目的とするところは、貯水タンクを取り外しできる構成の貯水ユニットにおいて、貯水タンクを取り外した場合であっても水道を利用することができる貯水システムを提供することにある。
【課題を解決するための手段】
【０００８】
本発明にかかる貯水ユニットによれば、水道管の中途部から分岐された第1の分岐管と、水道管の中途部の第１の分岐管よりも下流側で分岐された第２の分岐管と、給水口および排水口を有しており、第１の分岐管が給水口に接続され、第２の分岐管が排水口に接続され、第１の分岐管および第２の分岐管から着脱可能に設けた貯水タンクと、第１の分岐管と水道管との分岐部分に設けられた三方弁である、第１のバルブと、第２の分岐管と水道管との分岐部分に設けられた三方弁である、第２のバルブと、前記第１のバルブと前記第２のバルブの開閉を手動で同時に行うことができる同時開閉手段とを具備し、前記同時開閉手段は、回転軸が第１のバルブの弁体の回動軸に連結された第１の歯車と、回転軸が第２のバルブの弁体の回動軸に連結されるとともに第１の歯車とかみ合う第２の歯車と、第１の歯車または第２の歯車のいずれか一方の回転軸上に設けられ、第１の歯車および第２の歯車を同時に回転させるためのレバーとを有することを特徴としている。
この構成を採用することによって、貯水タンクに水を貯留させる場合には、第１のバルブと第２のバルブとを、第１の分岐管および第２の分岐管を開くように弁体の向きを設定させればよく、貯水タンクを取り外した場合には、第１のバルブと第２のバルブとを、第１の分岐管および第２の分岐管を閉塞するように弁体の向きを設定すれば、第１のバルブと第２のバルブとの間が連通するので、水道を通常通り使用することができる。
また、２個のバルブの開閉はそれぞれ電動で操作することも考えられるが、災害時に動作させるための電源を災害による停電の可能性も大きい家庭用の電源から取ることは無理であるし、普段動作させないバルブであるから電池を装着してもいざ使用しようとする場合に電池切れとなっている可能性も高い。そこで手動によりバルブの開閉を行うようにすればよいが、複数個所のバルブ操作を災害時に手動で実行することは大変である。したがって、このような構成を採用することによって、災害時であってもバルブの開閉を容易に行うことができる。さらにこの構成によれば、部品点数を最小限とすることができ、低コストであるとともに、駆動部分を歯車とすることでメンテナンスも必要なく故障も少ない貯水ユニットを提供できる。
【０００９】
本発明にかかる貯水ユニットによれば、水道管の中途部から分岐された第１の分岐管と、水道管の中途部の第１の分岐管よりも下流側で分岐された第２の分岐管と、給水口および排水口を有しており、第１の分岐管が給水口に接続され、第２の分岐管が排水口に接続され、第１の分岐管および第２の分岐管から着脱可能に設けた貯水タンクと、第１の分岐管の中途部に設けられた二方弁である、第１のバルブと、第２の分岐管の中途部に設けられた二方弁である、第２のバルブと、第１の分岐管が分岐された部位である第１の分岐部と第２の分岐管が分岐された部位である第２の分岐部との間を連結している水道管に設けられた二方弁である、第３のバルブと、第１のバルブ、第２のバルブおよび第３のバルブの開閉を手動で同時に行うことができる同時開閉手段とを具備し、前記同時開閉手段は、回転軸が第１のバルブの弁体の回動軸に連結された第１の歯車と、第１の歯車にはかみ合わないように配置され、回転軸が第２のバルブの弁体の回動軸に連結された第２の歯車と、第１の歯車および第２の歯車にはそれぞれかみ合わないように配置され、回転軸が第３のバルブの弁体の回動軸に連結された第３の歯車と、第１の歯車、第２の歯車および第３の歯車全てにかみ合うように配置された第４の歯車と、第１の歯車〜第４の歯車のいずれかの歯車の回転軸上に設けられ、第１の歯車〜第４の歯車全てを同時に回転させるためのレバーとを有することを特徴としている。
この構成を採用することによって、貯水タンクに水を貯留させる場合には、第１のバルブと第２のバルブとを第１の分岐管および第２の分岐管を開くよう弁体の向きを設定させ、且つ第３のバルブを閉塞するよう弁体の向きを設定させればよく、貯水タンクを取り外した場合には、第１のバルブと第２のバルブとを第１の分岐管および第２の分岐管を閉塞するよう弁体の向きを設定させ、且つ第３のバルブを開くよう弁体の向きを設定させれば、第１の分岐部と第２の分岐部との間が連通するので、水道を通常通り使用することができる。
また、このような構成を採用することによって、災害時であってもバルブの開閉を容易に行うことができる。
さらに、この構成によれば、部品点数を最小限とすることができ、低コストであるとともに、駆動部分を歯車とすることでメンテナンスも必要なく故障も少ない貯水ユニットを提供できる。
【発明の効果】
【００１０】
本発明の貯水ユニットによれば、貯水タンクを取り外して使用する場合に、貯水タンク側の分岐管をバイパスして水道管を連通させることができるので、貯水タンクの取り外し時において急に水道が復旧したような場合でも水道を普通に使用することができる。
【発明を実施するための最良の形態】
【００１１】
（実施例１）
以下、本発明にかかる好適な実施例を添付図面に基づいて説明する。
図１に貯水ユニットの概略の全体構成を示す。
貯水ユニット２０は、水道管１０の中途部に設けられる。貯水ユニット２０は、分岐制御部２１と、分岐制御部２１によって水道管１０から分岐された貯水タンク２２とを有している。
【００１２】
分岐制御部２１では、通常時は水が貯水タンク２２へ流れるようにし、貯水タンク２２を通過した水が蛇口１１へ流れる。このように、貯水ユニット２０では通常時は、貯水タンク２２に水を貯留しつつ、普通に蛇口１１から水道を使用することができる。
【００１３】
分岐制御部２１は、１つのレバー４６を操作するのみで、貯水タンク２２への水の流れを停止させ、貯水タンク２２を介さずに直接蛇口１１へ水が流れるように切り換えることができる。
【００１４】
このような貯水ユニット２０の具体的構成を図２および図３に示す。
分岐制御部２１では、２つの三方弁を用いて貯水タンク２２へ水を流すか、貯水タンク２２をバイパスして直接蛇口１１へ水を流すかを切り換えている。
水道管１０には、三方弁である第１のバルブ２８が設けられ、第１のバルブ２８の下流側のバイパス管１０ａには三方弁である第２のバルブ３０が設けられている。第１のバルブ２８と第２のバルブ３０との間の水道管が、貯水タンク２２をバイパスするバイパス管１０ａとして設けられている。
【００１５】
第１のバルブ２８には水道管１０から分岐して第１の分岐管３２が接続されている。第１の分岐管３２の先端部には、ワンタッチ式の着脱ソケット３４が取り付けられている。
第２のバルブ３０には水道管１０から分岐して第２の分岐管３６が接続されている。第２の分岐管３６の先端部にもワンタッチ式の着脱ソケット３８が取り付けられている。
第１の分岐管３２および第２の分岐管３６は、衛生設備機器等で使用されているフレキシブルパイプやホースなどを使用するとよい。
【００１６】
第１のバルブ２８は、バイパス管１０ａを閉塞して水道管１０と第１の分岐管３２が連通する状態と、第１の分岐管３２を閉塞して水道管１０とバイパス管１０ａが連通する状態とで切り換え可能に設けられている。
第２のバルブ３０は、バイパス管１０ａを閉塞して第２の分岐管３６と第２のバルブ３０の下流側（蛇口１１側）の水道管１０ｂが連通する状態と、第２の分岐管３６を閉塞してバイパス管１０ａと下流側の水道管１０ｂが連通する状態とで切り換え可能に設けられている。
【００１７】
第１のバルブ２８の弁体を回動させる回動軸には、第１の歯車４２の回転軸が連結されている。第２のバルブ３０の弁体を回動させる回動軸には、第２の歯車４４の回転軸が連結されている。また、第１の歯車４２と第２の歯車４４は噛合している。
すなわち、第１のバルブ２８の弁体の回動軸と第２のバルブ３０の弁体の回動軸との間の距離は、第１の歯車４２の半径と第２の歯車４４の半径を加算したものに等しくなるように設けられている。
【００１８】
本実施例では、第２の歯車４４の回転軸にレバー４６が取り付けられている。
レバー４６は、第２の歯車４４の回転軸に取り付けられているとともに第２のバルブ３０の弁体の回動軸にも連結されているので、レバー４６を操作することで直接第２のバルブ３０の弁体を回動させて、流れ方向を切り換えることができ、かつ第２の歯車４４が回転することでこれにかみ合っている第１の歯車４２を回転させ、第１の歯車４２の回転軸に連結している第１のバルブ２８の弁体を回動させることができる。
このように、２つの歯車４２と４４を介して２つのバルブ２８，３０の弁体の回動軸を連結させたことにより、１回の手動操作で貯水タンク２２へ水を流すか、貯水タンク２２へ流さないようにしてバイパス管１０ａを通って直接蛇口１１へ水を流すかを切り換えることができる。
【００１９】
なお、レバー４６を設ける歯車は第２の歯車４４に限定されることはなく、第１の歯車４２の回転軸に設けるようにしてもよい。
【００２０】
次に、貯水タンク２２について説明する。
貯水タンク２２は、水の貯蔵等に良く用いられるポリエチレン製のタンクを採用することができる。このようなタンクには２箇所に口が設けられており、いずれか一方を給水口２２ａ、他方を排水口２２ｂとして使用する。
【００２１】
貯水タンク２２の給水口２２ａおよび排水口２２ｂには、給水口２２ａおよび排水口２２ｂを閉塞するためのキャップ４０が、それぞれ取り付けられている。
キャップの具体的構成を図４および図５に示す。
キャップ４０には、各着脱ソケット３４，３８を着脱可能なジョイント部４８が設けられている。ジョイント部４８は、キャップ本体５１の中心に取り付けられる。ジョイント部４８の内部には、キャップ４０の内外を連通する流路５０が形成されている。流路５０は、第１の分岐管３２、第２の分岐管３６と連通するので、キャップ４０を貯水タンク２２に取り付けたままで貯水タンク２２への給排水が可能となっている。
【００２２】
ジョイント部４８および各着脱ソケット３４，３８はゴムホース等を接続する公知のワンタッチ式のジョイント機構を採用することができる。
着脱ソケット３４，３８内には、ジョイント部４８から取り外したときに第１および第２の分岐管３２，３６を閉塞して水の漏洩を防止する弁を設けておくとよい（図示せず）。
なお、キャップ４０には、貯水タンク２２を持ち歩く際にジョイント部４８に被せる止水キャップ５３を設けておくとよい。止水キャップ５３はキャップ４０から脱落しないように紐などでキャップ４０に取り付けられている。
【００２３】
なお、ジョイント部４８に形成されている流路５０は、貯水タンク２２内に向けて内径が徐々に小径となるテーパ部５２を形成するとよい。
このようにテーパ部５２を形成することにより、給水口２２ａから水を貯水タンク２２内に導入するときは、水圧を高めることができるので貯水タンク２２内へ給水しやすくなる。また、排水口２２ｂから水を排水するときには、水圧を低くすることができるので、貯水タンク２２からの排水がしやすくなる。
【００２４】
（実施例２）
次に、分岐制御部２１内のバルブの構成を変更した他の実施例について、図６に基いて説明する。なお、上述した実施例と同一の構成については同一の符号を付し、説明を省略する場合もある。
【００２５】
分岐制御部２１では、３つの二方弁を用いて貯水タンク２２へ水を流すか、貯水タンク２２をバイパスして直接蛇口１１へ水を流すかを切り換えている。
水道管１０には、第１の分岐管３２を分岐する第１の三方管５４が設けられており、第１の三方管５４の下流側のバイパス管１０ａには第２の分岐管３６を分岐する第２の三方管５６が設けられている。
【００２６】
第１の三方管５４から分岐した第１の分岐管３２の中途部には、二方弁である第１のバルブ５８が設けられている。
第２の三方管５６から分岐した第２の分岐管３６の中途部には、二方弁である第２のバルブ６０が設けられている。
また、第１の三方管５４と第２の三方管５６との間は、貯水タンク２２をバイパスするバイパス管１０ａが連結されている。バイパス管１０ａの中途部には、二方弁である第３のバルブ６２が設けられている。
【００２７】
第１のバルブ５８は第１の分岐管３２を開閉することができ、第２のバルブ６０は第２の分岐管３６を開閉することができ、第３のバルブ６２はバイパス管１０ａを開閉することができる。
したがって、貯水タンク２２へ水を流す場合には、第１のバルブ５８と第２のバルブ６０を開き、且つ第３のバルブ６２を閉じることにより、水道管１０からの水を第１の分岐管３２から貯水タンク２２を経て第２の分岐管３６へ流れるようにできる。
貯水タンク２２へ水を流さない場合には、第１のバルブ５８と第２のバルブ６０を閉じ、且つ第３のバルブ６２を開くことにより、水道管１０からの水をバイパス管１０ａを経て蛇口１１側の水道管１０ｂへ流れるようにできる。
【００２８】
第１のバルブ５８の弁体を回動させる回動軸には、第１の歯車６４の回転軸が連結されている。第２のバルブ６０の弁体を回動させる回動軸には、第２の歯車６６の回転軸が連結されている。第３のバルブ６２の弁体を回動させる回動軸には、第３の歯車６８の回転軸が連結されている。
【００２９】
第１の歯車６４、第２の歯車６６および第３の歯車６８はそれぞれ噛合しないように配置されている。そして、第１の歯車６４、第２の歯車６６および第３の歯車６８のそれぞれに噛合するように配置された第４の歯車７０が設けられている。
【００３０】
第４の歯車７０の回転軸にレバー７２が取り付けられている。
レバー７２は、第４の歯車７０を回転可能に設けているので、レバー７２を操作することで第４の歯車７０にかみ合っている第１の歯車６４と第２の歯車６６と第３の歯車６８とを同時に回転させることができる。すなわち、レバー７２の操作だけで、第１のバルブ５８の開閉と、第２のバルブ６０の開閉と、第３のバルブ６２の開閉を同時に行うことができる。
【００３１】
このように、４つの歯車６４，６６，６８，７０を介して３つのバルブ５８，６０，６２の弁体の回動軸を連結させたことにより、１回の手動操作で貯水タンク２２へ水を流すか、貯水タンク２２へ流さないようにするかを切り換えることができる。
【００３２】
なお、レバー４６を設ける歯車は第４の歯車７０に限定されることはなく、第１の歯車６４〜第３の歯車６８のいずれかの回転軸に設けるようにしてもよい。
【００３３】
上述してきた各実施例では、歯車を用いて同時に複数のバルブの開閉を行うようにする例を挙げた。
しかし、本発明は、同時に複数のバルブの開閉を行うようにする同時開閉手段としては、歯車に限定することはなく、リンク機構を用いるなどして構成してもよい。
【産業上の利用可能性】
【００３４】
本発明の貯水ユニットは、既設水道管に後施工で取り付けるようにしてもよいし、貯水タンクの形状や容量を工夫することで、キッチンや洗面ユニットなどに予め一体型として組み込んでおくこともできる。さらに貯水タンクに防菌処理や防藻処理を施すことで、貯留させた水を長期保存に耐えられるようにすることができる。
このような貯水ユニットを、各家庭以外にも公共施設、企業、事業所、店舗等に配置することによって、膨大な量の非常用飲料水を備蓄させておくことができる。
【００３５】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００３６】
【図１】貯水ユニットの全体構成を示す概略の説明図である。
【図２】貯水ユニットの実施例１における貯水タンクに水を流す状態を説明する説明図である。
【図３】貯水ユニットの実施例１における貯水タンクに水を流さない状態を説明する説明図である。
【図４】貯水タンクのキャップの説明図である。
【図５】図４のキャップの一部断面図である。
【図６】貯水ユニットの実施例２を説明する説明図である。
【符号の説明】
【００３７】
１０  水道管
１０ａ  バイパス管
１０ｂ  蛇口側の水道管
１１  蛇口
２０  貯水ユニット
２１  分岐制御部
２２  貯水タンク
２２ａ  給水口
２２ｂ  排水口
２８  第１のバルブ
３０  第２のバルブ
３２  第１の分岐管
３４，３８  着脱ソケット
３６  第２の分岐管
４０  キャップ
４２  第１の歯車
４４  第２の歯車
４６  レバー
４８  ジョイント部
５０  流路
５１  キャップ本体
５２  テーパ部
５３  止水キャップ
５４  第１の三方管
５６  第２の三方管
５８  第１のバルブ
６０  第２のバルブ
６２  第３のバルブ
６４  第１の歯車
６６  第２の歯車
６８  第３の歯車
７０  第４の歯車
７２  レバー
【図１】
0004647517.tif 000002
【図２】
0004647517.tif 000003
【図３】
0004647517.tif 000004
【図４】
0004647517.tif 000005
【図５】
0004647517.tif 000006
【図６】
0004647517.tif 000007